【手続補正書】
【提出日】平成17年2月23日(2005.2.23)
【手続補正１】
【補正対象書類名】明細書
【補正対象項目名】発明の名称
【補正方法】変更
【補正の内容】
【発明の名称】無線通信システムおよびデータ蓄積サービスの管理方法
【手続補正２】
【補正対象書類名】明細書
【補正対象項目名】特許請求の範囲
【補正方法】変更
【補正の内容】
【特許請求の範囲】
【請求項１】
メモリカードとして機能するインタフェース手段と；
無線通信路を介して、上記インタフェース手段へのアクセスコマンドを送受信する無線通信装置と；
ブラウザ機能を備えた携帯電話と；
上記無線通信装置との間でデータを送受信する通信手段と、データを蓄積する手段と、上記携帯電話との間で制御データを送受信する通信手段とを具備するデータサーバと；
を有し、上記無線通信装置は、上記無線通信装置を個別に識別するＩＤ値を備え、上記携帯電話から、上記ＩＤ値に従って上記無線通信装置の上記データサーバへのアクセス権限を設定し、上記アクセス権限は、上記携帯電話が選択する複数のパラメータを含み、上記選択結果に基づいて、上記アクセス権限を制御することを特徴とする無線通信システム。
【請求項２】
メモリカードに、メモリインタフェースと無線通信手段とを備えさせる段階と；
上記メモリカードと、遠隔地に設けられているデータ蓄積装置との間を、無線回線で接続する段階と；
上記メモリカードのＩＤを、上記データ蓄積装置に登録する段階と；
上記メモリカードのＩＤが上記データ蓄積装置に登録されている間に、上記メモリカードからのデータを、上記データ蓄積装置に書き込む段階と；
上記メモリカードのＩＤが上記データ蓄積装置に登録されている間に、上記データ蓄積装置に書き込まれているデータを読み出し、この読み出されたデータを上記メモリカードに転送する段階と；
上記メモリカードからのデータを、上記データ蓄積装置に書き込むことができる容量を、上記メモリカードから設定する段階と；
を有することを特徴とする無線通信方法。
【請求項３】
第１の情報処理装置と着脱自在に接続するためのメモリインタフェースおよび無線通信手段を有するメモリと；
上記メモリの上記通信手段によって送信されたデータを蓄積する蓄積装置と；
上記メモリによる上記蓄積装置の利用権利を登録するために、ネットワークを介して上記メモリの識別情報を上記蓄積装置に登録する第２の情報処理装置と；
を有し、ネットワークを介して上記メモリの識別情報が上記第２の情報処理装置によって上記蓄積装置に登録されると、上記蓄積装置は、所定期間の間、上記登録された識別情報のメモリが有する無線通信手段によって送信されたデータの蓄積を許可することを特徴とする無線通信システム。
【請求項４】
第１の情報処理装置に接続され、メモリインタフェースおよび無線通信手段を有するメモリからのデータをネットワークを介して外部の蓄積装置に蓄積するサービスの管理方法において、
第２の情報処理装置が、ネットワークを介して上記メモリの識別情報を上記蓄積装置に登録し、上記蓄積装置の利用権を登録する工程と；
識別情報が登録されたメモリに対し、上記蓄積装置へのデータ蓄積を所定期間の間、許可する工程と；
を有することを特徴とする管理方法。
【請求項５】
請求項４において、
上記第２の情報処理装置による上記利用権利の登録は、上記蓄積装置へのデータ蓄積可能なメモリ容量の設定も含まれることを特徴とする管理方法。
【請求項６】
請求項４において、
上記第２の情報処理装置による上記利用権利の登録は、利用料金に応じて上記蓄積装置へのデータ蓄積可能なメモリ容量を決定することを特徴とする管理方法。
【請求項７】
請求項４において、
上記第２の情報処理装置は、上記蓄積装置のユーザ登録を行うためのポータルサイトにアクセスし、上記識別情報の登録を行うことを特徴とする管理方法。
【請求項８】
請求項４において、
上記メモリは、上記第１の情報処理装置が上記メモリインタフェースを介して書き込み処理を行ったデータを上記無線通信手段によって送信することを特徴とする無線通信システム。
【請求項９】
請求項４において、
上記蓄積装置の利用権利は、上記蓄積装置へのデータ蓄積と読出しとを管理するための第１のパラメータと、データの読出しを管理するための第２のパラメータとによって管理されることを特徴とする管理方法。
【請求項１０】
請求項４において、
上記蓄積装置への利用権利は、上記第２の情報処理装置から上記利用権利が登録されてから第１の時間が経過するまでは、上記メモリの無線通信手段を利用して上記蓄積装置へのデータ蓄積と上記蓄積装置からのデータ読み出しとが可能であり、上記第１の時間が経過してから第２の時間が経過するまでは、上記メモリの通信手段を利用して上記蓄積装置からのデータ読み出しが可能であり、上記蓄積装置へのデータ蓄積が不可能であり、上記第２の時間経過後は、データの蓄積と読み出しとが不可能となるように管理されることを特徴とする管理方法。
【手続補正３】
【補正対象書類名】明細書
【補正対象項目名】０００１
【補正方法】変更
【補正の内容】
【０００１】
【発明の属する技術分野】
本発明は、無線通信システムおよびデータ蓄積サービスの管理方法に関する。
【手続補正４】
【補正対象書類名】明細書
【補正対象項目名】０００８
【補正方法】変更
【補正の内容】
【０００８】
本発明は、メモリカード等のメモリのメモリ容量を、任意に設定、変更することができ、無駄な購入コストを低減することができるようにすることを目的とする。
【手続補正５】
【補正対象書類名】明細書
【補正対象項目名】０００９
【補正方法】変更
【補正の内容】
【０００９】
【課題を解決するための手段】
本発明は、メモリカードとして機能するインタフェース手段と、無線通信路を介して、上記インタフェース手段へのアクセスコマンドを送受信する無線通信装置と、ブラウザ機能を備えた携帯電話と、上記無線通信装置との間でデータを送受信する通信手段と、データを蓄積する手段と、上記携帯電話との間で制御データを送受信する通信手段とを具備するデータサーバとを有し、上記無線通信装置は、上記無線通信装置を個別に識別するＩＤ値を備え、上記携帯電話から、上記ＩＤ値に従って上記無線通信装置の上記データサーバへのアクセス権限を設定し、上記アクセス権限は、上記携帯電話が選択する複数のパラメータを含み、上記選択結果に基づいて、上記アクセス権限を制御することを特徴とする無線通信システムを提供する。
また、メモリカードに、メモリインタフェースと無線通信手段とを備えさせる段階と、上記メモリカードと、遠隔地に設けられているデータ蓄積装置との間を、無線回線で接続する段階と、上記メモリカードのＩＤを、上記データ蓄積装置に登録する段階と、上記メモリカードのＩＤが上記データ蓄積装置に登録されている間に、上記メモリカードからのデータを、上記データ蓄積装置に書き込む段階と、上記メモリカードのＩＤが上記データ蓄積装置に登録されている間に、上記データ蓄積装置に書き込まれているデータを読み出し、この読み出されたデータを上記メモリカードに転送する段階と、上記メモリカードからのデータを、上記データ蓄積装置に書き込むことができる容量を、上記メモリカードから設定する段階とを有することを特徴とする無線通信方法を提供する。
また、第１の情報処理装置と着脱自在に接続するためのメモリインタフェースおよび無線通信手段を有するメモリと、上記メモリの上記通信手段によって送信されたデータを蓄積する蓄積装置と、上記メモリによる上記蓄積装置の利用権利を登録するために、ネットワークを介して上記メモリの識別情報を上記蓄積装置に登録する第２の情報処理装置とを有し、ネットワークを介して上記メモリの識別情報が上記第２の情報処理装置によって上記蓄積装置に登録されると、上記蓄積装置は、所定期間の間、上記登録された識別情報のメモリが有する無線通信手段によって送信されたデータの蓄積を許可することを特徴とする無線通信システムを提供する。
また、第１の情報処理装置に接続され、メモリインタフェースおよび無線通信手段を有するメモリからのデータをネットワークを介して外部の蓄積装置に蓄積するサービスの管理方法において、第２の情報処理装置が、ネットワークを介して上記メモリの識別情報を上記蓄積装置に登録し、上記蓄積装置の利用権を登録する工程と、識別情報が登録されたメモリに対し、上記蓄積装置へのデータ蓄積を所定期間の間、許可する工程とを有することを特徴とする管理方法を提供する。
【手続補正６】
【補正対象書類名】明細書
【補正対象項目名】０１０４
【補正方法】変更
【補正の内容】
【０１０４】
上記説明によれば、ユーザは、仮想メモリカードを１つ購入すると、仮想メモリの容量を任意に設定、変更することができ、無駄な出費を排除することができるという効果を奏する。
【発明の効果】
本発明によれば、ユーザは、仮想メモリカード等のメモリを１つ購入すると、外部の蓄積装置のメモリ空間を利用でき、無駄な出費を排除することができるという効果を奏する。